(57)【要約】【課題】  大雨や洪水等の非常時には建物の出入口等の通路に迅速に組み立てることができ、建物内への優れた浸水阻止機能を発揮する浸水防止装置を提供するにある。【解決手段】  建物内への浸水防止装置は、建物の通路の両側壁面に設けられた既存のシャッタ用ガイド溝にその両側端部を水密状に挿嵌して建物の通路を閉鎖する止水シート１と、止水シート１の下端面に設けられて通路の床面上に敷設する敷居部材５と、床面に通路幅方向に一定の間隔を存して設けている螺子孔８、８にボルトによって固定される支持金具７、７と、これらの支持金具７、７によってその背面両側部を支持され、正面によって上記止水シート１の背面を受止する閂部材６と、止水シート１の下端面を上記敷居部材５を介して床面に圧着させる圧着手段13とを備えている。【選択図】  図１
2018178702.tif 000002
【特許請求の範囲】
【請求項１】
炭素繊維と熱可塑性樹脂からなる巻回可能な止水シートと、前記止水シートの少なくとも床面側又は両端部の外側に延在する敷居部材とを備える止水部材。
【請求項２】
止水シートが、複数の補強用縦リブ構造を有する請求項１に記載の止水部材。
【請求項３】
熱可塑性樹脂がポリオレフィン系樹脂である請求項１又は請求項２に記載の止水部材。
【請求項４】
敷居部材が、弾性シートである請求項１〜３の何れか１項に記載の止水部材。
【請求項５】
敷居部材が、ゴム製シートである請求項１〜４の何れか１項に記載の止水部材。
【請求項６】
敷居部材と止水シートの少なくとも一部が接着されている請求項１〜５の何れか１項に記載の止水部材。
【請求項７】
止水シートを敷居部材を挟んで床部又は両端部に圧着させる圧着手段を備える請求項１〜６の何れか１項に記載の止水部材。
【請求項８】
止水シートの背面を受止する閂部材を備えた請求項１〜７の何れか１項に記載の止水部材。
【請求項９】
建物の通路の両側壁面に互いに対向して設けられたシャッタ用ガイド溝と、両側端部を全長に亘って上記対向するシャッタ用ガイド溝にそれぞれ水密状態に挿嵌して建物の通路を閉鎖する止水シートと、上記対向するシャッタ用ガイド溝の下端間の通路の床面上に敷設される敷居部材と、上記止水シートの下部における浸水下流側に向けた面を受止する閂部材と、この閂部材の下方の通路床面に着脱自在に固定されて閂部材を支持する支持金具と、上記止水シートの下端面を上記敷居部材に圧着させる圧着手段とからなることを特徴とする建物内への浸水防止装置。
【請求項１０】
止水シートの両側端部には帯板状の側板が取り付けられていると共に、この側板の両面にはシャッタ用ガイド溝の対向する溝壁内面にそれぞれ圧着する弾性側板材が一体に取り付けられていることを特徴とする請求項９に記載の建物内への浸水防止装置。
【請求項１１】
敷居部材は一定厚みを有する帯状の軟質樹脂シートからなり、その一方の長辺縁部の上面に止水シートの下端面を一体に連設させていることを特徴とする請求項９又は請求項１０に記載の建物内への浸水防止装置。
【請求項１２】
止水シートはシート本体と、このシート本体における浸水の上流側に向けた面に、幅方向に一定間隔毎に設けられた補強用縦リブとからなり、隣接する補強用縦リブ間に設けられたシートスキン部から止水シートを湾曲可能に形成していることを特徴とする請求項９〜１１の何れか１項に記載の建物内への浸水防止装置。
【請求項１３】
閂部材の支持金具は、通路の床面上の少なくとも２箇所に配置されて床面に設けている螺子孔にボルトによって着脱自在に固定されると共にこれらの支持金具の上端部を上記閂部材における長さ方向の少なくとも２箇所にボルトにより連結して閂部材を支持するように構成していることを特徴とする請求項９〜１２の何れか１項に記載の建物内への浸水防止装置。
【請求項１４】
圧着手段は、止水シートの長さ方向に一定間隔毎に並設する数本の弾性ベルト体からなり、各弾性ベルト体の上端部には上記止水シートの上端部に係脱自在に係止する取付用金具が装着されてあり、各弾性ベルト体の下端部には上記閂部材に連結させる連結用金具が装着されていて、弾性ベルト体の弾性復元力により止水シートの下端面を上記敷居部材に圧着させるように構成していることを特徴とする請求項９〜１３の何れか１項に記載の建物内への浸水防止装置。
【請求項１５】
閂部材に上記弾性ベルト体の下端部に装着した連結用金具を係止させる係止具を装着していることを特徴とする請求項９〜１４の何れか１項に記載の建物内への浸水防止装置。
【発明の詳細な説明】
【技術分野】
【０００１】
本発明は、大雨や洪水等が発生した際に、道路側等から建物内に水が浸入するのを防止するための止水部材及び浸水防止装置に関する。
【背景技術】
【０００２】
従来、大雨や高潮等の発生時、道路に溢れた水が建物内、地下施設等に浸入するのを防止するため、土嚢や止水板が用いられてきた。特に１９９９年に起きた集中豪雨による博多駅前地下浸水事故以来、地下街や地下鉄の出入口では、設置に時間のかかる土嚢ではなく、支柱の間にパネル型の止水壁を差し込む止水板が広く普及した。
【０００３】
例えば、特許文献１には、水平方向に長い断面矩形状の複数本の基本形枠材を上下に重
ね合わせて順次連結すると共に、連結した板体の周囲に縁枠材を装着することにより一枚の止水板とすることが開示されている。このような止水板は、所定の間隔を置いて配置される一対の支柱の対向面に形成された溝と、床上に形成された溝に水密に嵌め込まれて設置される。
【０００４】
しかし、特許文献１に開示される止水板は、水密性が不十分であることに加え、基本形枠材及び縁枠材の保管場所の確保が困難で、またこれらの重量が重くて持ち運びが容易ではなく、さらに、止水板の組み立て及び設置に時間がかかるといった問題がある。そのため、軽量で設置や持ち運びが容易となるように、止水板に関する各種検討がなされている。
【０００５】
例えば、特許文献２には、建物の出入口における通路の両側壁に両端設立柱が設けられ
ている一方、これらの両端設立柱の下端間の床面には折畳止水膜収納溝が設けられてあり、この収納溝内に折り畳み状態で収納されている止水膜を引き上げて両端設立柱間の通路を閉鎖するように構成した止水装置が記載されている。
【０００６】
特許文献３には、止水板を炭素繊維強化プラスチック製とした防水装置が開示されてい
る。また、特許文献４には、複数本の縦に長い金属ユニットを互いに接するように横方向に板状に配置されてなる金属体と、金属体の一方の面を覆い、金属ユニットを連結する連結シートとを備え、この連結シートにより巻回可能とされた止水板が開示されている。この止水板は、金属板の全部を覆うようにゴム部材がさらに設けられており、ゴム部材が、地下鉄の入り口などに設けられた構造物に密着させられることで水密性が確保されている。
【先行技術文献】
【特許文献】
【０００７】
【特許文献１】実公平４−２１８５７号公報
【特許文献２】特開２００５−２２６４１１号公報
【特許文献３】特開２０１６−１９１２３６号公報
【特許文献４】特開２０１７−４８６７２号公報
【発明の概要】
【発明が解決しようとする課題】
【０００８】
しかし、上記の様な特許文献１〜４に記載の止水パネル型の止水板は、１枚あたりの重量が重く、設置作業に複数人が必要になるという問題や、地下街等ではパネルのサイズが大きいため止水板の設置場所の近くに保管場所を確保することが難しく、軽量化しようとすると水密性が十分に確保出来ないという問題があった。
【０００９】
そのため、本発明者等は、軽量かつ強靱な巻回可能な止水シートを用いることで、上記問題の解決を目指したが、止水シートは水圧を受けると、建物の出入口と反対側、即ち、屋内側に向かって大きく膨出、変形し、その隙間から浸水してしまうという問題が更なる問題が見いだされた。
【００１０】
本発明はこのような問題点に鑑みてなされたもので、その目的とするところは、構造が簡単で大雨や洪水等の非常時には迅速に組み立てることができるばかりでなく、優れた止水機能を備えていて、建物内への浸水を良好に防止することができる止水部材及び浸水防止装置を提供することにある。
【課題を解決するための手段】
【００１１】
上記目的を達成するために、本発明者等は鋭意検討を行った結果、巻回可能な止水シートと、床面又は壁面に止水シートを圧着させる圧着手段とを備える止水部材及び該止水部材を用いた浸水防止装置の構成とすることで、上記課題が解決できることを見いだし、本発明に到達した。
【００１２】
即ち本発明の要旨は以下の通りである。
【００１３】
本発明の止水部材は、請求項１に記載したように、炭素繊維と熱可塑性樹脂からなる巻回可能な止水シートと、前記止水シートの少なくとも床面側又は両端部の外側に延在する敷居部材とを備えていることを特徴とする。
【００１４】
このように構成した止水部材において、請求項２に係る発明は、止水シートが、複数の補強用縦リブ構造を有することを特徴とし、請求項３に係る発明は、上記熱可塑性樹脂がポリオレフィン系樹脂であることを特徴とする。
【００１５】
上記敷居部材は、請求項４に記載したように、弾性シートであるか、或いは、請求項５に記載したようにゴム製シートであることを特徴とする。
【００１６】
さらに、請求項６に係る発明は、敷居部材と止水シートの少なくとも一部が接着されていることを特徴とし、請求項７に係る発明は、上記止水シートを敷居部材を挟んで床部又は両端部に圧着させる圧着手段を備えることを特徴とする。
【００１７】
また、請求項８に係る発明は、止水部材には、上記止水シートの背面を受止する閂部材が備えられていることを特徴とする。
【００１８】
請求項９に係る発明は、建物内への浸水防止装置であって、建物の通路の両側壁面に互いに対向して設けられたシャッタ用ガイド溝と、両側端部を全長に亘って上記対向するシャッタ用ガイド溝にそれぞれ水密状態に挿嵌して建物の通路を閉鎖する止水シートと、上記対向するシャッタ用ガイド溝の下端間の通路の床面上に敷設される敷居部材と、上記止水シートの下部における浸水下流側に向けた面を受止する閂部材と、この閂部材の下方の通路床面に着脱自在に固定されて閂部材を支持する支持金具と、上記止水シートの下端面を上記敷居部材に圧着させる圧着手段とからなることを特徴とする。
【００１９】
このように構成した建物内への浸水防止装置において、請求項10に係る発明は、上記止水シートの両側端部には帯板状の側板が取り付けられていると共に、この側板の両面にはシャッタ用ガイド溝の対向する溝壁内面にそれぞれ圧着させる弾性側板材が一体に取り付けられていることを特徴とする。
【００２０】
請求項11に係る発明は、上記敷居部材は一定厚みを有する帯状の軟質樹脂シートからなり、その一方の長辺縁部の上面に止水シートの下端面を一体に連設させていることを特徴とする。
【００２１】
請求項12に係る発明は、上記止水シートはシート本体と、このシート本体における浸水の上流側に向けた面に、幅方向に一定間隔毎に設けられた補強用縦リブとからなり、隣接する補強用縦リブ間に設けられたシートスキン部から止水シートを湾曲可能に形成していることを特徴とする。
【００２２】
請求項13に係る発明は、上記閂部材の支持金具は、通路の床面上の少なくとも２箇所に配置されて床面に設けている螺子孔にボルトによって着脱自在に固定されると共にこれらの支持金具の上端部を上記閂部材における長さ方向の少なくとも２箇所にボルトにより連結して閂部材を支持するように構成していることを特徴とする。
【００２３】
請求項14に係る発明は、上記止水シートの下端面を上記敷居部材に圧着させる圧着手段の構造であって、止水シートの長さ方向に一定間隔毎に並設する数本の弾性ベルト体からなり、各弾性ベルト体の上端部には上記止水シートの上端部に係脱自在に係止する取付用金具が装着されてあり、各弾性ベルト体の下端部には上記閂部材に連結させる連結用金具が装着されていて、弾性ベルト体の弾性復元力により止水シートの下端面を上記敷居部材に圧着させるように構成している。
【００２４】
請求項15に係る発明は、上記閂部材に上記弾性ベルト体の下端部に装着した連結用金具を係止させる係止具を装着していることを特徴とする。
【発明の効果】
【００２５】
本発明の上記請求項１〜８に記載の止水部材によれば、集中豪雨等の緊急時に短時間で設置出来、十分な水密性を有する。さらに本発明の止水部材は、保管時にはコンパクトで、かつ軽量で持ち運びが容易なため、熟練した作業員でなくとも少人数で容易に設置することができる。
【００２６】
また、本発明の上記請求項９に記載した建物内への浸水防止装置によれば、既設のシャッタ用ガイド溝を利用してこの溝間の床面上に敷居部材を敷設しながら止水シートを張設し、この止水シートの両側端部をシャッタ用ガイド溝に挿嵌する作業と、閂部材を支持金具により支持させる作業と、圧着手段の装着作業とを行うことによって建物内への浸水防止装置を短時間で組み立てることができる。
【００２７】
さらに、止水シートは、その両側端部が全長に亘って上記シャッタ用ガイド溝に密着する一方、止水シートの下端面は圧着手段によって床面上に敷設した敷居部材上に圧着して敷居部材を通路の床面上に押し付けるように構成しているので、建物の通路を全面的に閉鎖して建物内への浸水を遮断、阻止することができる。
【００２８】
また、止水シートの下部における浸水下流側に向けた面を閂部材によって受止させ、この閂部材を通路の床面上に固定した支持金具によって支持するので、水圧によって止水シートが下流側に向かって湾曲するのをこの閂部材によって防止することができ、止水シートを緊張状態に保持して建物内への浸水を確実に阻止することができる。
【００２９】
請求項10に係る発明によれば、上記止水シートの両側端部にはシャッタ用ガイド溝内に挿入するための帯板状の側板が取り付けられているので、通路の両側壁面に設けられたシャッタ用ガイド溝に両側の側板をそれぞれ挿入することによってこれらのガイド溝間に通路を遮断するように止水シートの張設する作業が迅速に行える。さらに、帯板状の側板の両面にはシャッタ用ガイド溝の対向する溝壁内面にそれぞれ弾性的に圧着する止水用弾性側板材が一体に取り付けられているので、シャッタ用ガイド溝を通じての浸水を防止し得る止水構造を構成することができる。
【００３０】
請求項11に係る発明によれば、上記敷居部材は帯状の軟質樹脂シートからなり、その長辺縁部の上面に止水シートの下端面を一体に連設させているので、不使用時には敷居部材を止水シートの下端部上に折り重ねた状態にしたのちロール巻きして閂部材や支持金具と共にコンパクトに保管しておくことができる。また、使用時には、設置場所までの運搬が容易であると共に素早く展開して、床面上への敷居部材の敷設と同時に対向するシャッタ用ガイド溝間への止水シートの張設作業が迅速に行うことができる。
【００３１】
請求項12に係る発明によれば、上記止水シートにはその浸水上流側に向けた面に、幅方向に一定間隔毎に補強用縦リブを設けているので、水圧によって止水シートの上下端間の中央部が上下端を支点として下流側に向かって湾曲変形するのを上記補強用縦リブにより防止することができる。
【００３２】
さらに、止水シートの下部がこの下部を受止している上記閂部材を支点として水圧によりその下端側が浸水上流側に向かって傾斜した場合に、浸水下流側に向けているシート本体の下端角部がその傾斜により全長に亘って一層強い押付力を敷居部材に作用させて、敷居部材を通路の床面に強く圧着させ、下流側への浸水を強固に阻止することができる。
【００３３】
請求項13に係る発明によれば、上記閂部材の支持金具は、通路の床面上にボルトによって固定されてあり、この支持金具の上端部を上記閂部材にボルトにより連結しているので、この支持金具を介して閂部材を通路の床面に強固に支持させることができる。
【００３４】
請求項14に係る発明によれば、上記圧着手段は弾性ベルト体からなり、この弾性ベルト体の上端部に装着した取付用金具を上記止水シートの上端部に取り付け、弾性ベルトを伸長させてその下端部に装着した連結用金具を上記閂部材に連結させるように構成している。従って、この弾性ベルト体の弾性復元力により止水シートの下端面を上記敷居部材に強固に圧着させ、敷居部材側からの浸水を阻止することができる。
【００３５】
また、上記閂部材には、請求項15に記載したように、上記弾性ベルト体の下端部に装着した連結用金具を係止させる係止具を装着しているので、弾性ベルト体を簡単且つ正確に取付けることができる。
【図面の簡単な説明】
【００３６】
【図１】建物内への浸水防止装置の背面側（浸水下流側）から見た斜視図。
【図２】その分解斜視図。
【図３】建物内への浸水防止装置の正面側（浸水上流側）から見た斜視図。
【図４】一部を省略した横断面図。
【図５】圧着手段の装着状態を示す縦断側面図。
【図６】敷居部材を一体に設けている止水シートの一部の斜視図。
【図７】敷居部材を止水シート側に折り畳んだ状態の一部の斜視図。
【発明を実施するための形態】
【００３７】
以下、本発明の一実施形態について図面を参照に説明する。
【００３８】
＜１．止水部材＞  
本発明の止水部材は、少なくとも図１に記載のように、止水シート１及び敷居部材５を備える。また、任意で止水シート１を敷居部材５に圧着させるための圧着手段13や止水シート１における浸水下流側に面した背面を受止する閂部材６を備えていてもよい。
【００３９】
＜１．１  止水シート＞
本発明の止水シート１のシート本体1aは、炭素繊維と熱可塑性樹脂からなり、巻回可能である必要がある。また、本発明の上記シート本体1aには、補強用縦リブ1bがその片面に設けられていてもよい。補強用縦リブ1bを備える面は特に限定されないが、補強用縦リブ1bは浸水の上流側（以下、「正面」ともいう）に設けられることが好ましい。なお、浸水の上流側とは、水が氾濫した屋外側であり、浸水の下流側とは、浸水を防止する対象である建物、地下等の屋内側である。
【００４０】
図１〜３に示すように、補強用縦リブ1bは、止水シート１のシート本体1aの上端部から下端部まで延在し、補強用縦リブ1bの下端面と、シート本体1aの下端面とが面一となっている。また、床面と止水シート１の水密性を確保するために、敷居部材４を備えている。これにより、止水シート１の下端部の水密性が優れたものとなる。なお、補強用縦リブ1bは、浸水防止装置において、その長さ方向と設置面（床面）とのなす角度が、４５〜９０°、好ましくは８０〜９０°、最も好ましくは９０°となるようにされる。この角度は、９０°に近くなるほど止水部材を容易に巻回させることが可能になる。
【００４１】
シート本体1aの構造は特に限定されないが、重量と強度の観点から繊維と合成樹脂の複合材から成るものが好ましく、繊維に合成樹脂を含浸させた構造であることがより好ましい。具体的には、繊維状基材に合成樹脂を含浸させた複合基材を有することが好ましい。繊維状基材としては、織物、編物、不織布、一方向に連続繊維が配列されてなる一方向連続繊維等の連続繊維を使用したものが好ましく、これらの中では織物がより好ましく、平織の繊維が更に好ましい。
【００４２】
上記繊維状基材を構成する繊維としては、特に限定されないが、ガラス繊維及び炭素繊
維から選択されることが好ましく、機械物性の観点から炭素繊維がより好ましい。炭素繊維としては、例えば、ＰＡＮ系炭素繊維、ＰＩＴＣＨ系炭素繊維等が挙げられる。ガラス繊維としては、例えば、Ｅガラス繊維等が挙げられる。
【００４３】
補強用縦リブ1bは、繊維と合成樹脂の複合材から成り、合成樹脂から成って補強用縦リブ1bの長さ方向に延在する芯部と、この芯部の少なくとも一部を被覆する表皮層とを含むことが好ましい。表皮層には樹脂含浸繊維を用いることが好ましく、樹脂含浸繊維は、繊維状補強材とこの繊維状補強材に含浸された合成樹脂とを含む。また、表皮層は、補強用縦リブ1bの芯部のみならず、止水シート１の表面において、隣接する補強用縦リブ1bだけでなくシート本体1aの表面も覆うように形成されていることが好ましい。この場合、表皮層は、補強用縦リブ1bの芯部の表面及び補強用縦リブ1bの間のシート本体1aも覆うように積層されるのがより好ましい。
【００４４】
表皮層に使用される繊維状補強材としては、織物、編物、不織布、一方向に連続繊維が配列されてなる一方向連続繊維等の連続繊維を使用したものが好ましく、一方向連続繊維がより好ましい。一方向連続繊維は、横方向、すなわち、各補強用縦リブ1bの長さ方向と交差する方向に延在することが好ましい。繊維状補強材を構成する繊維としては、特に限定されないが、ガラス繊維及び炭素繊維から選択されることが好ましく、防水性及び表面外観の観点からガラス繊維がより好ましい。炭素繊維としては、例えば、ＰＡＮ系炭素繊維、ＰＩＴＣＨ系炭素繊維などが挙げられる。ガラス繊維としては、例えば、Ｅガラス繊維などが挙げられる。また、繊維状基材、及び繊維状補強材のうち少なくとも一方は、炭素繊維であることがより好ましい。すなわち、止水シート１の繊維は、少なくとも一部が炭素繊維であることがより好ましい。また、繊維状基材が炭素繊維、繊維状補強材がガラス繊維であることがさらに好ましい。
【００４５】
止水シート１に使用する上記合成樹脂としては、熱可塑性樹脂を含むことを必須とする。熱可塑性樹脂としては、例えば、ポリオレフィン系樹脂、ポリエステル系樹脂、ポリアミド樹脂などが挙げられ、これらの中では、ポリオレフィン系樹脂、特にポリプロピレン樹脂が好ましい。止水シート１において、シート本体1a、補強用縦リブ1bを構成するための芯材及び表皮層に使用する合成樹脂は、いずれも同種のものを使用しても異なるものを使用してもよいが、同種のものを使用することが好ましい。したがって、シート本体1a、及び補強用縦リブ1bに使用する合成樹脂は、いずれもポリオレフィン系樹脂、特にポリプロピレン樹脂が好ましい。
【００４６】
本発明の止水シート１は上述の通り、芯材がポリプロピレン、表皮層がポリプロピレンを含浸させた床面に平行な１方向連続ガラス繊維から成る補強用縦リブ部1bと、ポリプロピレンを含浸させた炭素繊維織物であるシート本体1aからなる構成が最も好ましい。
【００４７】
＜１．２  敷居部材５＞
敷居部材５の素材は特に限定されないが、弾性体が好ましく、ゴム体が好ましい。弾性体としては、従来公知のゴムも使用可能であり、天然ゴム（ＮＲ）、イソプレンゴム（ＩＲ）、ブタジエンゴム（ＢＲ）、スチレンブタジエンゴム（ＳＢＲ）、クロロプレンゴム（ＣＲ）、ブチルゴム（ＩＩＲ）、アクリロニトリルブタジエンゴム（ＮＢＲ）、水素化アクリロニトリルブタジエンゴム（ＨＮＢＲ）、ノルボルネンゴム（ＮＯＲ）、エチレン・プロピレンゴム（ＥＰＭ）、エチレン・プロピレン・ジエンゴム（ＥＰＤＭ）、アクリルゴム（ＡＣＭ）、フッ素ゴム（ＦＫＭ）、クロロスルホン化ポリエチレン（ＣＳＭ）、エピクロロヒドリンゴム、シリコーンゴム、ウレタンゴムなどが挙げられる。これらゴムは、１種単独で使用してもよいし２種以上を使用してもよい。これらの中では、特にエチレン・プロピレン・ジエンゴム（ＥＰＤＭ）が好ましい。ＥＰＤＭは、耐熱性、耐候性などに優れ、かつ、粘着剤、特にアクリル系粘着剤との接着性及び脱着性に優れるため、良好な耐久性及びメンテナンス性が得られる。
【００４８】
敷居部材５は、一般的に、上記ゴムに各種添加剤が配合されてもよい。添加剤は、通常のゴムに使用される各種添加剤が使用でき、軟化剤、可塑剤、架橋剤、老化防止剤、酸化防止剤、架橋助剤、着色剤、充填材等が挙げられる。敷居部材５は、架橋剤が配合される場合、架橋剤により架橋されていることが好ましい。架橋剤は加硫剤とも呼ばれ、硫黄系架橋剤、過酸化物系架橋剤等が挙げられる。また、本実施形態において敷居部材５はシート状であるが、シート状以外の形状を有していてもよい。
【００４９】
止水部材は、止水シート１と敷居部材５の間に配置される粘着層を備えていてもよい。その粘着層により敷居部材５が止水シート１に接着される。
【００５０】
粘着層は、基材層と粘着剤を備えることが好ましい。
基材層としては、熱可塑性樹脂層であることが好ましく、具体的には、熱可塑性樹脂フ
ィルム、熱可塑性樹脂クロス等が挙げられ、これらの中では熱可塑性樹脂クロスが好ましい。基材に使用される熱可塑性樹脂としては、ポリエチレン樹脂、ポリプロピレン樹脂等のポリオレフィン系樹脂、軟質ポリ塩化ビニル樹脂、ポリアミド樹脂、ポリエチレンテレフタレート等のポリエステル樹脂等が挙げられる。また、クロスとしては、織布、編布、不織布等が挙げられる。
【００５１】
粘着剤としては、アクリル系粘着剤、ゴム系粘着剤、ウレタン系粘着剤、シリコ−ン系粘着剤等が使用され、これらの中ではアクリル系粘着剤が好ましい。アクリル系粘着剤は、各種の（メタ）アクリレート由来の構成単位を有するアクリル系共重合体を含有し、適宜、粘着付与樹脂、架橋剤などが配合されてもよい。粘着層にアクリル系粘着剤を使用することで、敷居部材５と止水シート１の間の水密性を良好にすることが可能である。
【００５２】
＜１．３  シート湾曲防止用閂部材６＞
本発明の止水部材は、止水シート１の背面に、床部又は壁部に固定されたシート湾曲防
止用の閂部材６を備えていてもよい。床部又は壁部に固定されたとは、建造物の床部又は壁部の少なくとも一部に直接又は間接的に固定されていることを意味する。
例えば、閂部材６を床部にビス等で直接固定する方法や、壁部にビス等で固定された支
柱に対して閂部材６を固定する方法等も含まれる。
【００５３】
また、閂部材６の取付け位置は、止水シート１の下側部分に限らず、中心付近、又は上
側部分に取付けてもよい。この閂部材６は、張設された止水シート１が両側端部を支点に下流側に湾曲変形しようとすると、止水シート１を背面から支持して、止水シート１が湾曲変形することを防止する。
【００５４】
上記閂部材６の素材は特に限定されないが、機械強度及び軽量性の観点から樹脂又は金属からなる部材であることが好ましい。軽量性を重視するのであれば、樹脂が好ましく、繊維強化樹脂がより好ましい。中でも、ガラス繊維強化ウレタン樹脂が軽量かつ機械強度も優れ好ましく用いられる。また、機械強度を重視するのであれば、金属が好ましく、ステンレス、鋼鉄、アルミがより好ましく、軽量かつ強度に優れたアルミ中空材がより好ましい。
【００５５】
＜１．４  圧着手段13＞
本発明の止水シート１を床面に圧着するための圧着手段13を備えていてもよく、上記閂部材６との間に弾性体からなる固定具を圧着手段13として備えていることが好ましい。
圧着手段13は、長さ方向に伸縮可能な弾性ベルト体14と、弾性ベルト体14の上端部に装着され、止水シート１の上端部に着脱自在に係止させるフック形状の取付用金具15や、弾性ベルト体14の下端部に装着され、閂部材６に連結させる連結用金具16とを備えていてもよい。圧着手段13が止水シート１の上端部に係止し、かつ閂部材６に連結されたとき、止水シート１を上面から圧着し、優れた水密性能が得られる傾向にある。また、止水シート１が補強用縦リブ構造1bを備える場合、リブ構造によって縦方向が、閂部材６によって横方向がそれぞれ固定され、巻回可能なシートでありながら湾曲せず、優れた止水性能が得られる傾向にある。
【００５６】
＜２．  浸水防止装置＞
以下に、本発明の浸水防止装置の一例を説明する。
【００５７】
建物内への浸水防止装置は、大雨や洪水等が発生した際に、建物の出入口等の通路Ａを閉鎖するシャッタを備えた場所において、通路Ａの両側壁面Ｂ、Ｂに相対して設けられた既存のシャッタ用ガイド溝Ｃ、Ｃを使用してこれらのガイド溝の下部間に止水部材の止水シート１を張設するように構成している。
【００５８】
上記止水シート１は繊維強化樹脂（ＦＲＰ）からなり、縦幅が数十ｃｍで横幅（長さ）が上記両側シャッタ用ガイド溝Ｃ、Ｃ間に張設可能な長さを有する横長長方形状のシート本体1aと、このシート本体1aの浸水上流側に向けた面に、長さ方向（横幅方向）に一定間隔毎に長さがシート本体1aの縦幅寸法に等しい補強用縦リブ1bを突設してなる。従って、隣接する補強用縦リブ1b、1b間にはシート本体1aのスキン部が設けられてあり、このスキン部から湾曲させて巻き取り可能に構成している。
【００５９】
なお、止水シート１の長さは、その両側端部が対向する上記シャッタ用ガイド溝Ｃ、Ｃ（以下、単にガイド溝Ｃ、Ｃという）内に挿入可能な長さに形成しておいてもよいが、この実施例においては、上記通路Ａの幅と同等ないしは僅かに短く形成して、その両側端部に上記ガイド溝Ｃ、Ｃにそれぞれ挿入する側板２、２が取り付けられている。
【００６０】
側板２、２は、剛直性を有する金属製または合成樹脂製の帯板材からなり、その下端面を止水シート１の下端面と面一状となるように合わせた状態にして幅方向の一半部を図３、図４に示すように、止水シート１の浸水上流側に向けた面（以下、正面とする）の両側端部にボルト・ナット10により固着している。これらの側板２、２の厚みはガイド溝Ｃの溝幅よりも薄く形成されてあり、ガイド溝Ｃ、Ｃにそれぞれ挿入した他半部の両面にはガイド溝Ｃ、Ｃの溝幅方向に対向する側壁内面にそれぞれ弾性的に圧着するスポンジ材からなる弾性側板材３、３が他半部の全面に貼着等によって一体に取り付けられている。
【００６１】
上記側板２を挟むようにしてこの側板２の両面に上記弾性側板材３、３を取り付けることによって厚みが上記ガイド溝Ｃの溝幅よりも厚い止水用側板部材４が形成されてあり、この止水用側板部材４をガイド溝Ｃにその弾性側板材３、３を厚み方向に圧縮させながら挿嵌できるように成形している。従って、止水用側板部材４をガイド溝Ｃ、Ｃに挿嵌した状態においては、弾性側板材３、３が圧縮してその弾性復元力によりガイド溝Ｃの対向する側壁内面に圧着し、ガイド溝Ｃを通じて建物内に水が浸入するのを防止するように構成している。
【００６２】
また、上記対向するガイド溝Ｃ、Ｃの下端間における通路Ａの床面Ｄ上には、一定幅と一定厚みを有する発泡樹脂シート等の軟質樹脂シートからなる帯状の敷居部材５が敷設される。この敷居部材５は上記止水シート１と別体に形成しておき、敷居部材５を敷設したのち、この敷居部材５上に止水シート１を張設するように構成しおいてもよいが、この実施例においては、浸水上流側に向けた長辺縁部の上面を止水シート１の下端面に一体に連設している。
【００６３】
さらに、上記止水シート１は、上記ガイド溝Ｃ、Ｃ間に張設された際に、その浸水下流側に向けた背面の下部を全長に亘って閂部材６により受止されて、浸水時の水圧により止水シート１が両側のガイド溝Ｃ、Ｃに挿嵌合した止水用側板部材４、４を支点として浸水下流側に湾曲変形するのを抑止するように構成している。
【００６４】
この閂部材６は、剛直性を有する断面四角形の真っ直ぐな棒材からなり、その長さ方向を水平に向けて正面側を上記止水シート１の背面下部に近接或いは接触させた状態で沿わせ、背面の数カ所を床面に固定した支持金具７、７によって支持させるように構成している。
【００６５】
この支持金具７による閂部材６の支持構造を詳述すると、支持金具７は通路Ａの床面Ｄ上に設置する水平板部7aと、この水平板部7aの端部から上方に突設し、上記閂部材６の背面に当てがう垂直板部7bとを有し、水平板部7aにボルトによる固定用長孔7cを設けてあり、垂直板部7bの上部には上下に小間隔を存してボルトによる取付孔7dが設けられている。なお、上記固定用長孔7cの長さ方向は、止水シート１の背面に対して接離する前後方向に向けてあり、支持金具７の設置位置を調整可能にしている。
【００６６】
一方、止水シート１を張設するガイド溝Ｃ、Ｃ間の床面Ｄには止水シート１の背面側において、支持金具７を固定するための螺子孔８、８・・・が通路幅方向に所定間隔毎に設けられてあり、これらの螺子孔８には、この螺子孔８に螺合した支持金具固定用ボルト９、９が引き出し可能に埋設されている。
【００６７】
さらに、上記閂部材６にはその背面に、上記固定用ボルト９、９によって固定される隣接する支持金具７、７に設けた通路幅方向の取付孔7d、7d間と同一間隔を存してこれらの取付孔7d、7dに連通する閂部材取付用螺子孔11、11が設けられている。そして、上記支持金具７の垂直板部7bの上部正面に閂部材６の背面を当接させた状態にして閂部材固定用ボルト12を上記取付孔7dを通じて閂部材取付用螺子孔11に螺締することにより閂部材６に支持金具７を装着する。さらに、床面Ｄに設けている上記螺子孔８に螺合した支持金具固定用ボルト９によって支持金具７を床面Ｄ上に固定することにより、止水シート１の背面を閂部材６に受止させるように構成している。
【００６８】
なお、長尺な一本の閂部材６によって止水シート１の背面を受止させるように構成しておいてもよいが、ガイド溝Ｃ、Ｃ間の通路幅が広い場合には、図１、図２に示すように、二本以上に分割した閂部材６、６を使用し、これらの閂部材６、６を止水シート１の背面下部に止水シート１の長さ方向に直列状に沿わせ、各閂部材６、６の長さ方向の２箇所以上を上記支持金具７、７によって支持させるよう構成しておくことが望ましい。
【００６９】
また、上記ガイド溝Ｃ、Ｃ間の床面Ｄ上に敷設した敷居部材５上に止水シート１の下端を押し付けると共にこの押付力によって敷居部材５を床面Ｄ上に隙間なく圧着させて建物内に浸入する雨水等が下流側に浸出するのを阻止するための圧着手段13が止水シート１に装着される。
【００７０】
この圧着手段13は、止水シートの長さ方向に一定間隔毎に並設する長さ方向に伸縮可能なゴム製の弾性ベルト体14の上下端部に、取付用金具15と連結用金具16をそれぞれ取り付けてなり、弾性ベルト体14は、止水シート１の上端と上記閂部材６との間の上下寸法よりも短くなるように長さ調整可能に構成されている。
【００７１】
詳しくは、上記弾性ベルト体14の上端部には、止水シート１の上端部に係着脱自在に係止させて弾性ベルト体14の上端を止水シート１の上端部に取り付けるためのフック体からなる取付用金具15が装着されている。さらに、この弾性ベルト体14の下端部には上記閂部材６に装着しているフック状係止具17に係脱自在に係止させて閂部材６と連結するための金属性環体からなる連結用金具16が装着されている。
【００７２】
なお、図１、２においては、二本の閂部材６によって止水シート１の背面を受止させるように構成し、これらの閂部材６の両側部を２個の支持金具７、７とによってそれぞれ支持させると共に各閂部材６の両側部に上記フック状係止具17、17が装着されている。
【００７３】
上記のように構成した建物内への浸水防止装置の使用態様を説明する。この浸水防止装置は、不使用時には上記止水シート１や敷居部材５、閂部材６、支持金具７、弾性ベルト体14等が纏められて保管されている。この際、止水シート１の下端に敷居部材５が一体に設けられている場合は、止水シート１の下端から正面側に向かって突出している敷居部材５を図５、図６に示すように止水シート１の正面下端部に折り重ねた状態にしたのち、止水シート１を巻き取って保管している。
【００７４】
次に、大雨等によって建物内に出入口から水が浸入し始めた場合、或いは、浸水する虞れが生じた場合には、上記浸水防止装置を設置すべき建物の通路Ａ内に搬入し、通路Ａの両側壁面Ｂ、Ｂに相対して設けられた既存のシャッタ用ガイド溝Ｃ、Ｃ間の床面Ｄ上に配設する。
【００７５】
浸水防止装置の配設作業は、まず、止水シート１を展開してその下端に設けている敷居部材５を上記ガイド溝Ｃ、Ｃの下端間の床面Ｄに敷設しながら止水シート１を拡げ、止水シート１の補強リブ1bを突設している面を正面側に向けた状態となるように止水シート１を立設させる。
【００７６】
しかるのち、この止水シート１の両側端に装着している止水用側板部材４、４を対向する上記ガイド溝Ｃ、Ｃ内に挿入し、これらの止水用側板部材４、４の側板２、２の両面に貼着している弾性側板材３、３をガイド溝Ｃ、Ｃの対向する溝内面に密着させてガイド溝Ｃ、Ｃを通じて建物内に雨水等が回り込むのを防止する。なお、上記敷居部材５はその両端面をガイド溝Ｃ、Ｃを設けている通路の両側壁面Ｂ、Ｂの下端面に密着させている。
【００７７】
なお、止水シート１の張設は、図２に示すように、止水シート１の一側端側の止水側板部材４を一方のガイド溝Ｃ内に挿嵌し、この状態から止水シート１を巻き戻してガイド溝Ｃ、Ｃ間に張設し、その他端側の止水側板部材４を他方のガイド溝Ｃに挿嵌させることによって行ってもよい。
【００７８】
次いで、閂部材６の背面における両側部に支持金具７、７の垂直板部7bの上部正面を当てがい、支持金具７、７に穿設している取付孔7dを通じてボルト12を閂部材６に設けている螺子孔11、11に螺締することにより、閂部材６の背面に支持金具７、７を取り付ける。一方、床面Ｄに設けている螺子孔８からこの螺子孔８に埋設状態に螺入している支持金具固定用ボルト９を取り外す。しかるのち、閂部材６を止水シート１の背面下部に対向させた状態にして上記螺子孔８を設けている床面Ｄ上に支持金具７、７の水平板部7aを載置し、支持金具７の水平板部7aに設けている長孔7cを通じて上記ボルト９を上記螺子孔８に螺締することによって床面Ｄ上に支持金具７を固定する。
【００７９】
この支持金具７の固定に際して、支持金具７をその水平板部7aに設けている長孔7cを介してボルト９に対し、前後方向（止水シート１に対して接離する方向）に位置調整し、閂部材６の正面（前面）を止水シート１に当接または近接させて止水シート１を受止させるようにする。なお、この実施例においては、閂部材６を二本使用して、これらの閂部材６、６により止水シート１の背面両側部を受止するように構成している。
【００８０】
さらに、止水シート１の背面側に閂部材６を配設する作業と共に、止水シート１を上記圧着手段13によって床面Ｄ側に押し付ける作業を行う。この作業は、圧着手段13の弾性ベルト体14の上端部に装着している取付用金具15を止水シート１の上端部に引っ掛けて係止させたのち、弾性ベルト体14を垂直下方に引っ張って伸長させながらその下端部に装着している連結金具16を上記閂部材６に装着しているフック状係止具17に係止させることによって行われる。
【００８１】
上記圧着手段13は、複数本、止水シート１の長さ方向に所定間隔毎に並設状態に取り付けられる。このように、圧着手段13を取り付けると、各圧着手段13の弾性ベルト体14の収縮力によって止水シート１が閂部材６を支点として下方に押圧され、この押圧力によって止水シート１の下端部が敷居部材５を圧縮させながらこの敷居部材５の下面を床面Ｄ上に強く圧着させ、敷居部材５側からの浸水も阻止し得る浸水防止装置を構成することができる。
【００８２】
上記のように、建物の出入口側通路における両側壁面に天井側から床面Ｄに向かって垂直状に設けられているシャッタ用ガイド溝Ｃ、Ｃを利用して、浸水防止装置を上記取付作業によって短時間（数分以内）で精度よく組み立てることができる。
【符号の説明】
【００８３】
Ａ  通路
Ｂ  通路の両側壁面
Ｃ  シャッタ用ガイド溝
Ｄ  床面Ｄ
１  止水シート
２  側板
３  弾性側板材
４  止水用側板部材
５  敷居部材
６  閂部材
７  支持金具
８  螺子孔
９  支持金具固定用ボルト
13  圧着手段
14  弾性ベルト体
15  取付用金具
16  連結用金具
17  フック状係止具
【図１】
2018178702.tif 000003
【図２】
2018178702.tif 000004
【図３】
2018178702.tif 000005
【図４】
2018178702.tif 000006
【図５】
2018178702.tif 000007
【図６】
2018178702.tif 000008
【図７】
2018178702.tif 000009